(57)【要約】【課題】  撮像素子の回転時においてディスプレイに画像が違和感なく表示されるようにして使い勝手の向上を図る。【解決手段】  外筐の内部において光軸又は光軸に平行な軸を支点として回転可能にされ被写体の光学像を電気的信号に変換する撮像素子と、回転操作されることにより撮像素子を回転させる回転操作部と、撮像素子によって電気的信号に変換された画像が表示されるディスプレイとを備え、回転操作部が回転操作されたときに、撮像素子が回転操作部の回転方向と反対方向へ回転されるようにした。  これにより撮像素子の回転時においてディスプレイに画像が違和感なく表示され使い勝手の向上を図ることができる。【選択図】        図９
2013150044.tif 000002
【特許請求の範囲】
【請求項１】
外筐の内部において光軸又は前記光軸に平行な軸を支点として回転可能にされ被写体の光学像を電気的信号に変換する撮像素子と、
回転操作されることにより前記撮像素子を回転させる回転操作部と、
前記撮像素子によって電気的信号に変換された画像が表示されるディスプレイとを備え、
前記回転操作部が回転操作されたときに、前記撮像素子が前記回転操作部の回転方向と反対方向へ回転されるようにした
撮像装置。
【請求項２】
前記ディスプレイが長方形状に形成され、
前記撮像素子が長方形状に形成され、
前記ディスプレイが横長にされた第１の撮影モードと縦長にされた第２の撮影モードとの間で前記撮像素子の回転方向と同じ方向において９０°回転可能とされ、
前記第１の撮影モードと前記第２の撮影モードにおいてそれぞれ前記ディスプレイの長手方向と前記撮像素子の長手方向とが一致するように前記撮像素子が回転されるようにした
請求項１に記載の撮像装置。
【請求項３】
前記ディスプレイがチルト方向へ回動可能とされた
請求項２に記載の撮像装置。
【請求項４】
前記ディスプレイが光軸方向を向く基準位置を基準として少なくとも一方へ９０°回動可能とされた
請求項３に記載の撮像装置。
【請求項５】
前記ディスプレイが光軸方向を向く基準位置を基準として両方向へ回動可能とされた
請求項３に記載の撮像装置。
【請求項６】
前記外筐に、前記撮像素子に前記光学像を取り込む光透過孔が形成され、
前記回転操作部がリング状に形成され、
前記回転操作部が前記外筐における前記光透過孔の外周側に設けられた
請求項１に記載の撮像装置。
【請求項７】
前記回転操作部が回転操作されたときに、前記撮像素子が前記回転操作部の回転方向と同じ方向へ回転されるように回転方向を変更する制御部が設けられた
請求項１に記載の撮像装置。
【発明の詳細な説明】
【技術分野】
【０００１】
本技術は撮像装置についての技術分野に関する。詳しくは、回転操作部が回転操作されたときに撮像素子が回転操作部の回転方向と反対方向へ回転されるようにして撮像素子の回転時においてディスプレイに画像が違和感なく表示されるようにする技術分野に関する。
【背景技術】
【０００２】
ビデオカメラやスチルカメラ等の各種の撮像装置には、内部にＣＣＤ（Charge Coupled Device）やＣＭＯＳ（Complementary Metal-Oxide Semiconductor）等の撮像素子が配置されている。撮像装置にはレンズ群等の光学系を介して被写体の画像が取り込まれ、撮像素子によって光学像が電気的信号に変換されることにより撮影が行われる。撮像素子によって電気的信号に変換された光学像はディスプレイに表示される。
【０００３】
このような撮像装置には、長方形状の撮像素子が光軸の軸回り方向へ回転可能とされたものがある（例えば、特許文献１及び特許文献２参照）。
【０００４】
特許文献１に記載された撮像装置にあっては、例えば、撮像装置を斜めに傾けた状態や撮像装置を縦長の状態にして撮影を行うときに撮像素子を横長の状態になるように回転させることにより、撮像装置を横長の状態で撮影した場合と同様の撮影を行うことが可能とされている。
【０００５】
特許文献２に記載された撮像装置にあっては、ディスプレイが撮像素子と一体になって回転可能とされ、例えば、ディスプレイと撮像素子を縦長の状態に回転することにより、撮像装置を横長の状態で使用した場合においても撮像装置を縦長の状態にして撮影した場合と同様の撮影を行うことが可能とされている。
【０００６】
【特許文献１】特開２０１１−４０８６２号公報
【特許文献２】特開２００６−３０３７１２号公報
【発明の開示】
【発明が解決しようとする課題】
【０００７】
ところで、上記のような撮像素子が回転可能とされた撮像装置においては、例えば、回転ダイヤルや回転リング等の回転操作部を回転操作することにより撮像素子が所望の回転位置まで回転されるように構成することが可能である。
【０００８】
このように回転操作部を回転操作することにより撮像素子が回転されるように構成した場合には、ディスプレイに撮像素子の回転に伴う画像が表示されることになるが、ディスプレイに表示される画像が使用者にとって自然な画像として認識されないと、使用者が違和感を覚え撮像装置の使い勝手が低下してしまう。
【０００９】
そこで、本技術撮像装置は、上記した問題点を克服し、撮像素子の回転時においてディスプレイに画像が違和感なく表示されるようにして使い勝手の向上を図ることを課題とする。
【課題を解決するための手段】
【００１０】
第１に、撮像装置は、上記した課題を解決するために、外筐の内部において光軸又は前記光軸に平行な軸を支点として回転可能にされ被写体の光学像を電気的信号に変換する撮像素子と、回転操作されることにより前記撮像素子を回転させる回転操作部と、前記撮像素子によって電気的信号に変換された画像が表示されるディスプレイとを備え、前記回転操作部が回転操作されたときに、前記撮像素子が前記回転操作部の回転方向と反対方向へ回転されるようにしたものである。
【００１１】
従って、撮像装置にあっては、回転操作部が回転操作されたときに、ディスプレイに表示される画像の回転方向が回転操作部の回転方向に一致される。
【００１２】
第２に、撮像装置においては、前記ディスプレイが長方形状に形成され、前記撮像素子が長方形状に形成され、前記ディスプレイが横長にされた第１の撮影モードと縦長にされた第２の撮影モードとの間で前記撮像素子の回転方向と同じ方向において９０°回転可能とされ、前記第１の撮影モードと前記第２の撮影モードにおいてそれぞれ前記ディスプレイの長手方向と前記撮像素子の長手方向とが一致するように前記撮像素子が回転されるようにすることが望ましい。
【００１３】
第１の撮影モードと第２の撮影モードにおいてそれぞれディスプレイの長手方向と撮像素子の長手方向とが一致するように撮像素子が回転されるようにすることにより、第１の撮影モードと第２の撮影モードにおいて何れもディスプレイの全体に画像が表示される。
【００１４】
第３に、撮像装置においては、前記ディスプレイがチルト方向へ回動可能とされることが望ましい。
【００１５】
ディスプレイがチルト方向へ回動可能とされることにより、ディスプレイをチルト方向へ回動させて異なるアングルで撮影を行うことが可能になる。
【００１６】
第４に、撮像装置においては、前記ディスプレイが光軸方向を向く基準位置を基準として少なくとも一方へ９０°回動可能とされることが望ましい。
【００１７】
ディスプレイが光軸方向を向く基準位置を基準として少なくとも一方へ９０°回動可能とされることにより、使用者が９０°回動された位置においてディスプレイを視認することが可能になる。
【００１８】
第５に、撮像装置においては、前記ディスプレイが光軸方向を向く基準位置を基準として両方向へ回動可能とされることが望ましい。
【００１９】
ディスプレイが光軸方向を向く基準位置を基準として両方向へ回動可能とされることにより、撮影状態の自由度が向上する。
【００２０】
第６に、撮像装置においては、前記外筐に、前記撮像素子に前記光学像を取り込む光透過孔が形成され、前記回転操作部がリング状に形成され、前記回転操作部が前記外筐における前記光透過孔の外周側に設けられることが望ましい。
【００２１】
外筐に、撮像素子に光学像を取り込む光透過孔が形成され、回転操作部がリング状に形成され、回転操作部が外筐における光透過孔の外周側に設けられることにより、撮像素子の回転時に回転操作部に対する良好な操作性が確保される。
【００２２】
第７に、撮像装置においては、前記回転操作部が回転操作されたときに、前記撮像素子が前記回転操作部の回転方向と同じ方向へ回転されるように回転方向を変更する制御部が設けられることが望ましい。
【００２３】
回転操作部が回転操作されたときに、撮像素子が回転操作部の回転方向と同じ方向へ回転されるように回転方向を変更する制御部が設けられることにより、回転操作部に対する回転操作に伴って撮像素子が回転操作部の回転方向と同じ方向へ回転される。
【発明の効果】
【００２４】
本技術撮像装置は、外筐の内部において光軸又は前記光軸に平行な軸を支点として回転可能にされ被写体の光学像を電気的信号に変換する撮像素子と、回転操作されることにより前記撮像素子を回転させる回転操作部と、前記撮像素子によって電気的信号に変換された画像が表示されるディスプレイとを備え、前記回転操作部が回転操作されたときに、前記撮像素子が前記回転操作部の回転方向と反対方向へ回転されるようにしている。
【００２５】
従って、回転操作部が回転されたときに、ディスプレイに表示される画像が回転操作部の回転方向と同じ方向へ回転されるため、撮像素子の回転時においてディスプレイに画像が違和感なく表示され、撮像装置の使い勝手の向上を図ることができる。
【００２６】
請求項２に記載した技術にあっては、前記ディスプレイが長方形状に形成され、前記撮像素子が長方形状に形成され、前記ディスプレイが横長にされた第１の撮影モードと縦長にされた第２の撮影モードとの間で前記撮像素子の回転方向と同じ方向において９０°回転可能とされ、前記第１の撮影モードと前記第２の撮影モードにおいてそれぞれ前記ディスプレイの長手方向と前記撮像素子の長手方向とが一致するように前記撮像素子が回転されるようにしている。
【００２７】
従って、第１の撮影モードと第２の撮影モードにおいて何れもディスプレイの全体に画像を表示することができ、撮像装置の使い勝手の向上を図ることができる。
【００２８】
請求項３に記載した技術にあっては、前記ディスプレイがチルト方向へ回動可能とされている。
【００２９】
従って、ディスプレイをチルト方向へ回動させて異なるアングルで撮影を行うことができ、撮像装置の一層の使い勝手の向上を図ることができる。
【００３０】
請求項４に記載した技術にあっては、前記ディスプレイが光軸方向を向く基準位置を基準として少なくとも一方へ９０°回動可能とされている。
【００３１】
従って、使用者がディスプレイを９０°回動された状態で視認して撮影等を行うことができ、撮像装置の使い勝手の向上を図ることができる。
【００３２】
請求項５に記載した技術にあっては、前記ディスプレイが光軸方向を向く基準位置を基準として両方向へ回動可能とされている。
【００３３】
従って、撮影状態の自由度が向上し、撮像装置の一層の使い勝手の向上を図ることができる。
【００３４】
請求項６に記載した技術にあっては、前記外筐に、前記撮像素子に前記光学像を取り込む光透過孔が形成され、前記回転操作部がリング状に形成され、前記回転操作部が前記外筐における前記光透過孔の外周側に設けられている。
【００３５】
従って、撮像素子の回転時に回転操作部に対する良好な操作性を確保することができ、撮像装置のさらなる使い勝手の向上を図ることができる。
【００３６】
請求項７に記載した技術にあっては、前記回転操作部が回転操作されたときに、前記撮像素子が前記回転操作部の回転方向と同じ方向へ回転されるように回転方向を変更する制御部が設けられている。
【００３７】
従って、回転操作部が回転操作されたときに、撮像素子が回転操作部の回転方向と同じ方向へ回転可能であるため、使用者の意図に応じた方向へディスプレイに表示される画像が回転され、撮像装置の一層の使い勝手の向上を図ることができる。
【発明を実施するための最良の形態】
【００３８】
以下に、本技術撮像装置を実施するための最良の形態を添付図面に従って説明する。
【００３９】
以下に示した最良の形態は、本技術撮像装置をレンズ交換式のスチルカメラに適用したものである。尚、本技術の適用範囲はレンズ交換式のスチルカメラに限られることはない。本技術は、例えば、他の種類のスチルカメラ、ビデオカメラ、携帯電話等の他の機器に組み込まれるカメラ等の各種の撮像装置に広く適用することができる。
【００４０】
以下の説明にあっては、スチルカメラの撮影時において撮影者から見た方向で前後上下左右の方向を示すものとする。従って、被写体側が前方となり、撮影者側が後方となる。
【００４１】
尚、以下に示す前後上下左右の方向は説明の便宜上のものであり、本技術の実施に関しては、これらの方向に限定されることはない。
【００４２】
［撮像装置の構成］
撮像装置１は外筐２の内外に所要の各部が配置されて成る（図１及び図２参照）。
【００４３】
外筐２の外面には各種の操作部３、３、・・・が配置されている。操作部３、３、・・・としては、例えば、電源釦、シャッター、ズームスイッチ、モード切替摘子等が設けられている。
【００４４】
外筐２の前面には光透過孔２ａが形成され、光透過孔２ａの周囲の部分が図示しない交換レンズを取り付けるための取付部２ｂとして設けられている。外筐２の背面には後方に開口された浅い配置凹部２ｃが形成されている。
【００４５】
外筐２の前面には取付部２ｂの外周側に回転操作部４が回転自在に支持されている。回転操作部４は、例えば、リング状に形成され、回転操作部４の回転角度又は回転量がカウンターによって読み取られるようにされている。
【００４６】
尚、回転操作部４はリング状に形成されていなくてもよく、例えば、ダイヤル式の操作部であってもよい。
【００４７】
外筐２の背面にはディスプレイ５が支持されている。ディスプレイ５は板状の長方形状に形成され、厚み方向における一方の面に表示面５ａを有している。
【００４８】
ディスプレイ５は支持機構６によって外筐２の背面に支持されている（図３及び図４参照）。支持機構６は第１の支持ベース７と第２の支持ベース８を有している。
【００４９】
第１の支持ベース７は板状に形成され、一端部（上端部）にそれぞれ左右に突出された被支持軸７ａ、７ａを有している。第１の支持ベース７は被支持軸７ａ、７ａが外筐２の背面における上端部に支持され、被支持軸７ａ、７ａを支点として外筐２に対して回動可能とされている。
【００５０】
第２の支持ベース８は板状に形成され、一端部が第１の支持ベース７の他端部に回動自在に連結されている。第２の支持ベース８は第１の支持ベース７の外筐２に対する回動方向と同じ方向において第１の支持ベース７に対して回動される。
【００５１】
ディスプレイ５は回転支持軸９を支点として第２の支持ベース８に回転自在に支持されている。ディスプレイ５は第２の支持ベース８に厚み方向において接触されており、回転支持軸９はディスプレイ５の厚み方向に延びる状態で配置され、ディスプレイ５は撮像装置１の光軸又は光軸に平行な軸の軸回り方向へ回転可能とされる。
【００５２】
上記のようにディスプレイ５は第１の支持ベース７及び第２の支持ベース８を介して外筐２に連結されており、第１の支持ベース７が外筐２に対して回動され第２の支持ベース８が第１の支持ベース７に対して回動されることにより、外筐２に対してチルト方向へ回動可能とされる。
【００５３】
外筐２の内部には回転機構１０が配置されている（図４乃至図６参照）。回転機構１０は支持リング１１と押さえリング１２とリングスプリング１３と回転ベース１４を有している。
【００５４】
支持リング１１は略円環状に形成され、外周部１５と内周部１６、１６、・・・から成る。支持リング１１には周方向に等間隔に離隔して挿通用切欠１１ａ、１１ａ、・・・とネジ止め孔１１ｂ、１１ｂ、・・・が交互に形成されている。支持リング１１は前面が外筐２の前面部における後面に接した状態でネジ止め孔１１ｂ、１１ｂ、・・・に図示しないネジが螺合されて外筐２に取り付けられている。
【００５５】
外周部１５は内周部１６、１６、・・・より厚みが薄くされている。
【００５６】
内周部１６、１６、・・・は外周部１５の内側に設けられ、円弧状に形成されている。内周部１６、１６、・・・は後面が外周部１５の後面より後方に位置されている。
【００５７】
押さえリング１２は略円環状に形成され、中心軸が支持リング１１の中心軸に一致された状態で支持リング１１の後方に位置されている。押さえリング１２には周方向に等間隔に離隔してネジ挿通孔１２ａ、１２ａ、・・・が形成されている。
【００５８】
リングスプリング１３は略円環状に形成され、中心軸が支持リング１１の中心軸と押さえリング１２の中心軸に一致された状態で支持リング１１と押さえリング１２の間に位置されている。リングスプリング１３には周方向に等間隔に離隔してネジ挿通用切欠１３ａ、１３ａ、・・・が形成されている。
【００５９】
リングスプリング１３には周方向に等間隔に離隔して板バネ部１３ｂ、１３ｂ、・・・が設けられ、板バネ部１３ｂ、１３ｂ、・・・はそれぞれネジ挿通用切欠１３ａ、１３ａ、・・・間に位置されている。
【００６０】
支持リング１１、押さえリング１２及びリングスプリング１３は図示しない取付ネジがそれぞれネジ挿通孔１２ａ、１２ａ、・・・、ネジ挿通用切欠１３ａ、１３ａ、・・・及び挿通用切欠１１ａ、１１ａ、・・・を挿通されて外筐２の前面部に螺合されることにより、外筐２に取り付けられる。
【００６１】
リングスプリング１３は支持リング１１と押さえリング１２の間において保持される。リングスプリング１３が支持リング１１と押さえリング１２の間に保持された状態においては、板バネ部１３ｂ、１３ｂ、・・・が支持リング１１の後面に押し付けられ、板バネ部１３ｂ、１３ｂ、・・・が支持リング１１の後面に押し付けられる程度に応じて支持リング１１の外周部１５とリングスプリング１３の外周部との隙間の寸法が調整可能とされている。
【００６２】
回転ベース１４は円環状に形成されたベース部１７とベース部１７の内周面から内方へ突出された円環状の被支持突部１８とから成る。
【００６３】
ベース部１７の後端部には内方へ突出された取付突部１７ａ、１７ａ、１７ａが周方向に離隔して設けられている。ベース部１７の外周面の一部にはラック１７ｂが形成されている。
【００６４】
回転ベース１４は被支持突部１８が支持リング１１の外周部１５とリングスプリング１３の外周部との隙間に挿入されて回転可能とされている。
【００６５】
外筐２の前面部における後面には回転用モーター１９が取り付けられている。回転用モーター１９の出力軸にはウォーム２０が固定されている。
【００６６】
外筐２の前面部における後面には伝達ギヤ２１、２１が互いに噛合された状態で支持されている。一方の伝達ギヤ２１は回転ベース１４のラック１７ｂに噛合され、他方の伝達ギヤ２１はウォーム２０に噛合されている。従って、回転用モーター１９が回転されると駆動力がウォーム２０及び伝達ギヤ２１、２１を介して回転ベース１４に伝達され、回転ベース１４が回転用モーター１９の回転方向に応じた方向へ回転される。
【００６７】
回転ベース１４には素子ユニット２２が取り付けられている。素子ユニット２２は撮像素子２２ａと撮像素子２２ａが搭載された回路基板２２ｂとを有し、例えば、図示しないネジ部材がそれぞれ取付突部１７ａ、１７ａ、１７ａに螺合されることにより回転ベース１４に取り付けられている。素子ユニット２２は回転ベース１４に取り付けられているため、回転用モーター１９の回転による回転ベース１４の回転に伴って回転される。
【００６８】
回転ベース１４の外周面には押さえ突部２３、２３、・・・が取り付けられている。押さえ突部２３、２３、・・・は回転ベース１４から後方へ突出された連結面部２３ａ、２３ａ、・・・と連結面部２３ａ、２３ａ、・・・の後端部からそれぞれ上方へ突出された押さえ面部２３ｂ、２３ｂ、・・・とから成る。
【００６９】
回転ベース１４に取り付けられた素子ユニット２２は押さえ突部２３、２３、・・・の押さえ面部２３ｂ、２３ｂ、・・・によって後方から押さえられている。
【００７０】
押さえ突部２３、２３、・・・の各面には図示しないフレキシブルプリント配線板が貼り付けられ、フレキシブルプリント配線板は一端部が回路基板２２ｂに接続され他端部が外筐２の内部に配置された図示しない制御基板に接続されている。
【００７１】
［撮像素子の回転動作］
以下に、撮像素子２２ａの回転動作について説明する（図７乃至図９参照）。
【００７２】
撮像素子２２ａは長手方向が左右方向にされた横長の状態と長手方向が上下方向にされた縦長の状態との間で回転可能とされている。
【００７３】
撮像素子２２ａが横長の状態（図７参照）において、回転操作部４が回転されると、回転操作部４の回転方向と反対方向へ斜めの状態（図８参照）を経て縦長の状態（図９参照）へ向けて撮像素子２２ａを有する素子ユニット２２が回転されていく。このとき回転操作部４が回転されることにより回転操作部４の回転角度又は回転量がカウンターによって読み取られ、読み取られた情報に基づいて回転用モーター１９に駆動電流が供給されて回転用モーター１９の回転量及び回転方向が定められ、回転ベース１４の回転に伴って素子ユニット２２が回転される。
【００７４】
逆に、撮像素子２２ａが縦長の状態（図９参照）において、回転操作部４が先程とは反対方向へ回転されると、回転操作部４の回転方向と反対方向へ斜めの状態（図８参照）を経て横長の状態（図７参照）へ向けて撮像素子２２ａを有する素子ユニット２２が回転されていく。
【００７５】
尚、素子ユニット２２の回転角度は回転操作部４の回転角度に一致されるように設定されてもよく、また、回転操作部４の回転角度より大きい角度や小さい角度に設定されていてもよい。
【００７６】
撮像装置１においては、回転操作部４の回転により撮像素子２２ａを斜めの状態（図８参照）にして撮影を行うことが可能である。また、撮像素子２２ａを横長の状態（図７参照）にして撮影を行うこともでき、撮像素子２２ａを縦長の状態（図９参照）にして撮影を行うこともできる。撮影時には交換レンズを介して取り込まれた光学像（被写体の光）が撮像素子２２ａに上下左右が逆になって入射される。
【００７７】
［ディスプレイの回転動作及び回動動作］
以下に、ディスプレイ５のチルト方向への回動動作について説明する（図１０乃至図２１参照）。
【００７８】
ディスプレイ５は横長の状態とされた第１の撮影モード（図１０乃至図１５参照）と縦長の状態とされた第２の撮影モード（図１６乃至図２１参照）とにおいて使用することが可能である。尚、図１６乃至図２１は、撮像装置１を簡略化して示している。
【００７９】
先ず、第１の撮影モードにおけるディスプレイ５のチルト方向の回動動作について説明する（図１０乃至図１５参照）。ディスプレイ５の回動動作は手動で行われてもよく、また、操作部３の操作に応じて自動で行われるようにされていてもよい。
【００８０】
第１の撮影モードにおいてディスプレイ５がチルト方向へ回動されていないときには、ディスプレイ５は横長の状態で外筐２の背面に接して光軸方向を向く基準位置にあり、表示面５ａが後方を向いた状態とされ、第１の支持ベース７と第２の支持ベース８が外筐２に形成された配置凹部２ｃに収納されて配置されている（図１０及び図１１参照）。
【００８１】
従って、第１の支持ベース７と第２の支持ベース８が配置凹部２ｃに収納されているため、撮像装置１の前後方向における厚みが厚くならず薄型化を図ることができる。
【００８２】
第１の支持ベース７が外筐２に対して回動され第１の支持ベース７と第２の支持ベース８が配置凹部２ｃから引き出されると、ディスプレイ５がチルト方向（上方）へ回動される。ディスプレイ５は、基準位置に対してチルト方向における上方側へ、例えば、９０°まで回動可能とされている（図１２及び図１３参照）。
【００８３】
このようにディスプレイ５が上方側へ回動され表示面５ａが上方を向いた状態においては、使用者が上方から表示面５ａを視認して横長の撮影画面でローアングルで撮影等を行うことができ、撮像装置１の使い勝手の向上を図ることができる。
【００８４】
上記のようにディスプレイ５が上方側へ回動された状態において、第２の支持ベース８が第１の支持ベース７に対して回動されると、ディスプレイ５がチルト方向（下方）へ回動される。ディスプレイ５は、基準位置に対してチルト方向における下方側へ表示面５ａが斜め下方を向く状態まで回動可能とされている（図１４及び図１５参照）。尚、ディスプレイ５を基準位置に対してチルト方向における下方側へ、例えば、９０°まで回動可能にしてもよい。
【００８５】
このようにディスプレイ５が下方側へ回動され表示面５ａが斜め下方又は下方を向いた状態においては、使用者が下方から表示面５ａを視認して横長の撮影画面でハイアングルで撮影等を行うことができ、撮像装置１の使い勝手の向上を図ることができる。
【００８６】
第１の撮影モードと第２の撮影モードの切替は、ディスプレイ５を回転支持軸９を支点として回転させることにより行うことができる。横長の状態からディスプレイ５を９０°回転させることによりディスプレイ５を縦長の状態にして第１の撮影モードから第２の撮影モードに切り替えることができる。逆に、縦長の状態からディスプレイ５を９０°回転させることによりディスプレイ５を横長の状態にして第２の撮影モードから第１の撮影モードに切り替えることができる。
【００８７】
尚、ディスプレイ５の回転動作は手動で行われてもよく、また、操作部３の操作に応じて自動で行われるようにされていてもよい。
【００８８】
次に、第２の撮影モードにおけるディスプレイ５のチルト方向の回動動作について説明する（図１６乃至図２１参照）。
【００８９】
第２の撮影モードにおいてディスプレイ５がチルト方向へ回動されていないときには、ディスプレイ５は縦長の状態で外筐２の背面に接して光軸方向を向く基準位置にあり、表示面５ａが後方を向いた状態とされ、第１の支持ベース７と第２の支持ベース８が外筐２に形成された配置凹部２ｃに収納されて配置されている（図１６及び図１７参照）。
【００９０】
従って、第１の支持ベース７と第２の支持ベース８が配置凹部２ｃに収納されているため、撮像装置１の前後方向における厚みが厚くならず薄型化を図ることができる。
【００９１】
第１の支持ベース７が外筐２に対して回動され第１の支持ベース７と第２の支持ベース８が配置凹部２ｃから引き出されると、ディスプレイ５がチルト方向（上方）へ回動される。ディスプレイ５は、基準位置に対してチルト方向における上方側へ、例えば、９０°まで回動可能とされている（図１８及び図１９参照）。
【００９２】
このようにディスプレイ５が上方側へ回動され表示面５ａが上方を向いた状態においては、使用者が上方から表示面５ａを視認して縦長の撮影画面でローアングルで撮影等を行うことができ、撮像装置１の使い勝手の向上を図ることができる。
【００９３】
上記のようにディスプレイ５が上方側へ回動された状態において、第２の支持ベース８が第１の支持ベース７に対して回動されると、ディスプレイ５がチルト方向（下方）へ回動される。ディスプレイ５は、基準位置に対してチルト方向における下方側へ表示面５ａが斜め下方を向く状態まで回動可能とされている（図２０及び図２１参照）。尚、ディスプレイ５を基準位置に対してチルト方向における下方側へ、例えば、９０°まで回動可能にしてもよい。
【００９４】
このようにディスプレイ５が下方側へ回動され表示面５ａが斜め下方又は下方を向いた状態においては、使用者が下方から表示面５ａを視認して縦長の撮影画面でハイアングルで撮影等を行うことができ、撮像装置１の使い勝手の向上を図ることができる。
【００９５】
また、上記のようにディスプレイ５が基準位置を基準として上方側及び下方側の両方向へ回動されることにより、撮影状態の自由度が向上し、撮像装置１の一層の使い勝手の向上を図ることができる。
【００９６】
尚、撮像装置１において、ディスプレイ５の回転支持軸９を支点とした回転動作は、ディスプレイ５がチルト方向へ回動された状態において行うことも可能である。
【００９７】
また、撮像装置１にあっては、撮像素子２２ａが横長の状態（図７参照）又は縦長の状態（図９参照）にあるときに、それぞれディスプレイ５が縦長の状態又は横長の状態まで回転されると、ディスプレイ５の回転位置が検出され、素子ユニット２２が回転されて撮像素子２２ａも縦長の状態又は横長の状態まで回転されてディスプレイ５の向きに一致されるように構成されている（図２２及び図２３参照）。尚、図２２及び図２３は、撮像装置１を簡略化して示している。
【００９８】
さらに、撮像装置１にあっては、撮像素子２２ａが縦長の状態及び横長の状態以外の斜めの状態（図８参照）にあるときに、ディスプレイ５が縦長の状態又は横長の状態まで回転されると、ディスプレイ５の回転位置が検出され、素子ユニット２２が回転されて撮像素子２２ａも縦長の状態又は横長の状態まで回転されてディスプレイ５の向きに一致されるように構成されている（図２２及び図２３参照）。
【００９９】
上記のように、撮像装置１にあっては、撮像素子２２ａが斜めの状態（図８参照）にあるときに、ディスプレイ５が縦長の状態まで回転されることにより撮像素子２２ａも縦長の状態まで回転されディスプレイ５が横長の状態まで回転されることにより撮像素子２２ａも横長の状態まで回転される。
【０１００】
従って、第１の撮影モードと第２の撮影モードにおいて何れも表示面５ａの全体に画像を表示することができ、撮像装置１の使い勝手の向上を図ることができる。
【０１０１】
［撮像装置の一実施形態］
以下に、本技術撮像装置の一実施形態によるデジタルスチルカメラのブロック図を示す（図２４参照）。
【０１０２】
撮像装置（デジタルスチルカメラ）１は、撮影された画像信号のアナログ−デジタル変換等の信号処理を行うカメラ信号処理部５０と、画像信号の記録再生処理を行う画像処理部５１とを有している。また、撮像装置１は、撮影された画像等を表示するディスプレイ５と、メモリーカード１００への画像信号の書込及び読出を行うＲ／Ｗ（リーダ／ライタ）５２と、撮像装置１の全体を制御するＣＰＵ（Central Processing Unit）５３と、使用者によって所要の操作が行われる各種のスイッチ等の入力操作部５４と、レンズの駆動を制御するレンズ駆動制御部５５とを備えている。
【０１０３】
カメラ信号処理部５０は、撮像素子２２ａからの出力信号に対するデジタル信号への変換、ノイズ除去、画質補正、輝度・色差信号への変換等の各種の信号処理を行う。
【０１０４】
画像処理部５１は、所定の画像データーフォーマットに基づく画像信号の圧縮符号化・伸張復号化処理や解像度等のデーター仕様の変換処理等を行う。
【０１０５】
ディスプレイ５は使用者の入力操作部５４に対する操作状態や撮影した画像等の各種のデーターを表示する機能を有している。
【０１０６】
Ｒ／Ｗ５２は、画像処理部５１によって符号化された画像データーのメモリーカード１００への書込及びメモリーカード１００に記録された画像データーの読出を行う。
【０１０７】
ＣＰＵ５３は、撮像装置１に設けられた各部を制御する制御処理部として機能し、入力操作部５４からの指示入力信号等に基づいて各部を制御する。
【０１０８】
入力操作部５４は、上記した操作部３、３、・・・及び回転操作部４であり、使用者による操作に応じた指示入力信号をＣＰＵ５３に対して出力する。
【０１０９】
レンズ駆動制御部５５は、ＣＰＵ５３からの制御信号に基づいて交換レンズ２００の各レンズを駆動するモーター等を制御する。
【０１１０】
メモリーカード１００は、例えば、Ｒ／Ｗ５２に接続されたスロットに対して着脱可能な半導体メモリーである。
【０１１１】
以下に、撮像装置１における動作を説明する。
【０１１２】
入力操作部５４から撮影のための指示入力信号が入力されると、撮影された画像信号がカメラ信号処理部５０から画像処理部５１に出力されて圧縮符号化処理され、所定のデーターフォーマットのデジタルデーターに変換される。変換されたデーターはＲ／Ｗ５２に出力され、メモリーカード１００に書き込まれる。
【０１１３】
ズーミングは、例えば、入力操作部（ズーム摘子）５５が操作された場合に、ＣＰＵ５３からの制御信号に基づいてレンズ駆動制御部５５が交換レンズ２００の所定のレンズを移動させることにより行われる。
【０１１４】
フォーカシングは、例えば、入力操作部（シャッター釦）５５が半押しされた場合や記録（撮影）のために全押しされた場合等に、ＣＰＵ５３からの制御信号に基づいてレンズ駆動制御部５５が交換レンズ２００の所定のレンズを移動させることにより行われる。
【０１１５】
メモリーカード１００に記録された画像データーを再生する場合には、入力操作部５４に対する操作に応じて、Ｒ／Ｗ５２によってメモリーカード１００から所定の画像データーが読み出され、画像処理部５１によって伸張復号化処理が行われた後に、再生画像信号がディスプレイ５に出力されて画像が表示される。  ［まとめ］
以上に記載した通り、撮像装置１にあっては、回転操作部４が回転操作されたときに、撮像素子２２ａが回転操作部４の回転方向と反対方向へ回転されるように構成されている。
【０１１６】
従って、回転操作部４が回転されたときに、ディスプレイ５の表示面５ａに表示される画像が回転操作部４の回転方向と同じ方向へ回転されるため、撮像素子２２ａの回転時においてディスプレイ５に画像が違和感なく表示され、撮像装置１の使い勝手の向上を図ることができる。
【０１１７】
また、撮像装置１にあっては、ディスプレイ５がチルト方向へ回動可能とされているため、ディスプレイ５をチルト方向へ回動させて異なるアングルで撮影を行うことができ、撮像装置１の一層の使い勝手の向上を図ることができる。
【０１１８】
さらに、回転操作部４が外筐２における光透過孔２ａの外周側に設けられているため、撮像素子２２ａの回転時に回転操作部４に対する良好な操作性を確保することができ、撮像装置１のさらなる使い勝手の向上を図ることができる。
【０１１９】
［その他］
撮像装置１にあっては、撮像素子２２ａ及びディスプレイ５が回転可能とされているため、撮像装置１の外筐２を斜めに傾けたり持ち替えたりすることなく、縦横斜めの任意のアングルで撮影を行うことが可能である。
【０１２０】
また、外筐２を斜めに傾けたり持ち替えたりすることなく縦横斜めの任意のアングルで撮影を行うことが可能であるため、撮影時にフラッシュの配光が変わることがなく、フラッシュからの発光状態を考慮することなく撮影を行うことができる。
【０１２１】
さらに、撮像装置１を三脚に装着した状態において、三脚の調整を行うことなく、縦横斜めの任意のアングルで撮影を行うことが可能である。
【０１２２】
さらにまた、ディスプレイ５をチルト方向へ回動させた状態でディスプレイ５を回転することができるため、撮像装置１を三脚から取り外すことなく三脚に装着した状態においてディスプレイ５を回転させることが可能である。
【０１２３】
また、撮像装置１にあっては、上記したように、外筐２に対して撮像素子２２ａを回転させて斜めにした状態で撮影を行うことが可能である。
【０１２４】
従って、撮像素子２２ａを斜めにした状態で撮影した画像をパーソナルコンピューター等に取り込んで表示させたときに、使用者が撮影したときに表示面５ａに表示される画像と同じアングルの画像がパーソナルコンピューター等に表示されるため、違和感のない画像を表示させることができる。
【０１２５】
尚、撮像装置１にあっては、ディスプレイ５が縦長の状態と横長の状態に回転されたときに、使用者に縦長の状態と横長の状態に回転されたことが感触として伝達される所謂クリック感が生じるような構成にすることも可能である。
【０１２６】
また、撮像素子２２ａが回転されたときに、ディスプレイ５の表示面５ａに撮像素子２２ａの現在の回転角度が表示されるようにしてもよい。
【０１２７】
さらに、撮像素子２２ａをサイクロイド機構を用いて回転させるような構成にすることも可能である。
【０１２８】
さらにまた、撮像装置１にあっては、回転操作部４が回転操作されたときに、撮像素子２２ａが回転操作部４の回転方向と同じ方向へ回転されるように回転方向を変更する制御部が設けられていてもよい。
【０１２９】
このような制御部が設けられることにより、回転操作部４が回転操作されたときに、撮像素子２２ａが回転操作部４の回転方向と同じ方向へ回転可能であるため、使用者の意図に応じた方向へディスプレイ５に表示される画像が回転され、撮像装置１の一層の使い勝手の向上を図ることができる。
【０１３０】
［本技術］
本技術は、以下のような構成にすることができる。
【０１３１】
（１）外筐の内部において光軸又は前記光軸に平行な軸を支点として回転可能にされ被写体の光学像を電気的信号に変換する撮像素子と、回転操作されることにより前記撮像素子を回転させる回転操作部と、前記撮像素子によって電気的信号に変換された画像が表示されるディスプレイとを備え、前記回転操作部が回転操作されたときに、前記撮像素子が前記回転操作部の回転方向と反対方向へ回転されるようにした撮像装置。
【０１３２】
（２）前記ディスプレイが長方形状に形成され、前記撮像素子が長方形状に形成され、前記ディスプレイが横長にされた第１の撮影モードと縦長にされた第２の撮影モードとの間で前記撮像素子の回転方向と同じ方向において９０°回転可能とされ、前記第１の撮影モードと前記第２の撮影モードにおいてそれぞれ前記ディスプレイの長手方向と前記撮像素子の長手方向とが一致するように前記撮像素子が回転されるようにした前記（１）に記載の撮像装置。
【０１３３】
（３）前記ディスプレイがチルト方向へ回動可能とされた前記（２）に記載の撮像装置。
【０１３４】
（４）前記ディスプレイが光軸方向を向く基準位置を基準として少なくとも一方へ９０°回動可能とされた前記（３）に記載の撮像装置。
【０１３５】
（５）前記ディスプレイが光軸方向を向く基準位置を基準として両方向へ回動可能とされた前記（３）に記載の撮像装置。
【０１３６】
（６）前記外筐に、前記撮像素子に前記光学像を取り込む光透過孔が形成され、前記回転操作部がリング状に形成され、前記回転操作部が前記外筐における前記光透過孔の外周側に設けられた前記（１）から前記（５）の何れかに記載の撮像装置。
【０１３７】
（７）前記回転操作部が回転操作されたときに、前記撮像素子が前記回転操作部の回転方向と同じ方向へ回転されるように回転方向を変更する制御部が設けられた前記（１）から前記（６）の何れかに記載の撮像装置。
【０１３８】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１３９】
【図１】図２乃至図２４と共に本技術の最良の形態を示すものであり、本図は、撮像装置の斜視図である。
【図２】撮像装置の背面側を示す斜視図である。
【図３】支持機構の拡大斜視図である。
【図４】撮像装置の内部構造を示す拡大断面図である。
【図５】撮像装置の内部構造を示す概略拡大斜視図である。
【図６】回転機構の拡大分解斜視図である。
【図７】図８及び図９と共に撮像素子が回転された状態を示すものであり、本図は、撮像素子が横長にされているときの状態を示す拡大正面図である。
【図８】撮像素子が斜めにされているときの状態を示す拡大正面図である。
【図９】撮像素子が縦長にされているときの状態を示す拡大正面図である。
【図１０】図１１乃至図１５と共に横長にされているときのディスプレイの回動動作を示すものであり、本図は、回動される前の基準位置の状態を示す概略斜視図である。
【図１１】回動される前の基準位置の状態を示す概略側面図である。
【図１２】上方側へ回動された状態を示す概略斜視図である。
【図１３】上方側へ回動された状態を示す概略側面図である。
【図１４】下方側へ回動された状態を示す概略斜視図である。
【図１５】下方側へ回動された状態を示す概略側面図である。
【図１６】図１７乃至図２１と共に縦長にされているときのディスプレイの回動動作を示すものであり、本図は、回動される前の基準位置の状態を示す概略斜視図である。
【図１７】回動される前の基準位置の状態を示す概略側面図である。
【図１８】上方側へ回動された状態を示す概略斜視図である。
【図１９】上方側へ回動された状態を示す概略側面図である。
【図２０】下方側へ回動された状態を示す概略斜視図である。
【図２１】下方側へ回動された状態を示す概略側面図である。
【図２２】ディスプレイと撮像素子が横長にされた状態を示す概略背面図である。
【図２３】ディスプレイと撮像素子が縦長にされた状態を示す概略背面図である。
【図２４】撮像装置のブロック図である。
【符号の説明】
【０１４０】
１…撮像装置、２…外筐、２ａ…光透過孔、４…回転操作部、５…ディスプレイ、２２ａ…撮像素子
【図１】
2013150044.tif 000003
【図２】
2013150044.tif 000004
【図３】
2013150044.tif 000005
【図４】
2013150044.tif 000006
【図５】
2013150044.tif 000007
【図６】
2013150044.tif 000008
【図７】
2013150044.tif 000009
【図８】
2013150044.tif 000010
【図９】
2013150044.tif 000011
【図１０】
2013150044.tif 000012
【図１１】
2013150044.tif 000013
【図１２】
2013150044.tif 000014
【図１３】
2013150044.tif 000015
【図１４】
2013150044.tif 000016
【図１５】
2013150044.tif 000017
【図１６】
2013150044.tif 000018
【図１７】
2013150044.tif 000019
【図１８】
2013150044.tif 000020
【図１９】
2013150044.tif 000021
【図２０】
2013150044.tif 000022
【図２１】
2013150044.tif 000023
【図２２】
2013150044.tif 000024
【図２３】
2013150044.tif 000025
【図２４】
2013150044.tif 000026